(57)【特許請求の範囲】
【請求項１】
ブラシ本体としてのヘッド部と、ヘッド部が固定されている柄部と、ヘッド部と柄部を繋ぐ位置にあるネック部と、ネック部と柄部との接続部及び柄部の後端部において柄部の長手方向の中心軸を回転中心として回転自在に係止されかつ前記柄部との間に人の手指の第２指ないし第５指を挿入する空間部を構成するベルト部とを有したことを特徴とする歯磨きに於ける口腔内外傷発生防止用歯ブラシ。
【請求項２】
ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第２指を挿入する指掛け部とを有したことを特徴とする歯磨きに於ける口腔内外傷発生防止用歯ブラシ。
【請求項３】
ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第２指及び第３指をそれぞれ挿入する指掛け部とを有したことを特徴とする歯磨きに於ける口腔内外傷発生防止用歯ブラシ。
【請求項４】
ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第２指及び第３指を同時に挿入する指掛け部とを有したことを特徴とする歯磨きに於ける口腔内外傷発生防止用歯ブラシ。
【請求項５】
ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第１指を挿入する指掛け部とを有したことを特徴とする歯磨きに於ける口腔内外傷発生防止用歯ブラシ。
【請求項６】
前記ベルト部または前記指掛け部は抗菌性シリコーン樹脂で作製したことを特徴とする請求項１ないし５記載の歯磨きに於ける口腔内外傷発生防止用歯ブラシ。
【発明の詳細な説明】
【技術分野】
【０００１】
本発明は、手もしくは指を覆うリングを付加した乳幼児用、あるいは障がい者又は障がい児、もしくは要介護支援者用の歯ブラシであり、効果として咽頭部への誤刺入など、歯磨き時の口腔外傷発生防止機能を有する歯ブラシである。
【背景技術】
【０００２】
従来、この種、第１例としては図７に示す特開２００７−３００９８６号公開特許公報に開示された技術がある。歯ブラシ１は、本体であるヘッド部２と、ヘッド部２が固定された柄部３と、ヘッド部２と柄部３とを繋ぐ位置にある接続部としてのネック部４と、該ネック部４から柄部３の間に配置される喉突き防止用に設けられる規制プレート５とを有している。柄部３は棒状である。該柄部３は規制プレート５より基端側に延伸し、規制プレート５を着脱するための装着部（（図示せず）を経てネック部４を超えてヘッド部２の一部をなしている。該柄部３は保持の際の握り易さなどの点で、その材質は硬質材料としての合成樹脂、例えばＡＢＳ（アクリロニトリル・ブタジエン・スチレン樹脂）、ＡＳ（アクリロニトリル・スチレン樹脂）、ポリプロピレン、ポリエチレンテレフタレート、ポリスチレン、ポリアセタール、ポリカーボネート、ポリエーテルスルフォン、ポリアミド、アクリル樹脂などの成形品を用いることで形成されている。規制プレート５は、柄部３に対して大きく拡径したフランジ状であり、ここでは、その外縁は例えば、３つ葉が拡がったような形態である３つ葉状とされている。規制プレート５は、好ましくは柄部３と別体で、全体が乳幼児から衝撃を受けても破壊されない範囲で、撓むことが可能な柔軟性を有している。
【０００３】
この種、第２の例としては図８に示す特開平１１−７５９３７号公開特許公報に開示された技術がある。これについて説明すれば、図８は、乳幼児用歯ブラシ６であって、プレート７は柄部８の前方側に形成されている。またプレート７は、柄部８の長手方向と略同一方向にプレート面７Ａを有することが必要である。略同一方向とすることにより、仕上げ磨きの際に口腔内が観察し易く、また親指で乳幼児用歯ブラシ６を容易に押さえることができる。プレート面７Ａの直径７ａは、２０（ｍｍ）以上であることが必要であり、２１（ｍｍ）以上であることが好ましく、２２（ｍｍ）以上であることが特に好ましい。２０（ｍｍ）以上であれば、その大きさにより、乳幼児が誤って歯ブラシを口腔内の奥やのどに進入させることを防止することができる。プレート面７Ａが楕円形である場合、その長軸の長さが２０（ｍｍ）以上であることが必要である。またプレート面７Ａの直径Ｌ１または長軸の長さは３０（ｍｍ）以下であることが好ましい。また長軸の長さが３０（ｍｍ）より大きいと、親が行なう仕上げ磨きの際に親が乳幼児の口腔内を観察し難い。またプレート７のブラシ部側末端７ａと、ブラシ部９の先端９ａとの距離Ｌ２は、３０〜６０（ｍｍ）であることが必要であり、６０（ｍｍ）より大きいと、プレート７を設けても乳幼児用歯ブラシ６が口腔内の奥やのどに進入してしまう場合があり、また３０（ｍｍ）より小さいと、プレート７がブラッシングの際に障害となり口腔内の奥歯を充分にブラッシングすることができない。尚、図２中、１０はブラシ毛である。
【先行技術文献】
【特許文献】
【０００４】
【特許文献１】特開２００７−３００９８６号公開特許公報
【特許文献２】特開平１１−７５９３７号公開特許公報
【発明の概要】
【発明が解決しようとする課題】
【０００５】
従来技術に於いて前述した第１例によれば、乳幼児が歯ブラシ１を把持したまま転倒した際に、規制プレート５が乳幼児の口腔周囲に外傷を負わせない程度に変形しつつ衝当することにより、ヘッド部２が該乳幼児の口腔内の内奥部に侵入することを防ぎ、口腔内に重篤な外傷を負わせることを回避できる。しかしながら、歯磨きに於けるブラッシング動作に於いて、前記規制プレート５が前記乳幼児の口腔周囲及び頬部や鼻翼部に接触ないしは衝当するので不快感を生じさせ、乳幼児の自発的な歯磨きの習慣を阻害するという問題点があった。また、乳幼児の保護者が乳幼児に代わって該乳幼児の歯磨き動作を行なう場合に於いては、前記規制プレート５が邪魔になり保護者が乳幼児の口腔内を観察することが困難であり、充分な口腔ケアができないという問題点があった。また、歯ブラシ１を収納する際は規制プレート５が保管時の容積を多く必要とするので、歯ブラシ１を既存の洗面台等に具備する歯ブラシ収納部に収納することができず、洗面台の周囲が乱雑になるだけでなく、歯ブラシ１の保管場所によっては、衛生管理を十分に行えないという問題点があった。
【０００６】
また従来技術に於いて前述した第２例によれば、乳幼児用歯ブラシ６が具備するプレート７は前記歯ブラシ１の規制プレート５に比較して小さいので、保護者が行なう歯磨き動作に於いて、乳幼児の口腔内を観察をすることができ、保管時に於いても過大な容積を占有しないという特徴を有するが、乳幼児が該乳幼児用歯ブラシ６を用いて歯磨き動作中、特に歩行中の歯磨き動作中に前方方向に転倒した場合はプレート７が口腔内に突入して口蓋内奥部を損傷するという問題点があった。
【課題を解決するための手段】
【０００７】
本発明は、叙上の問題点を解決すべく発明したものであり、次の構成、手段から成立する。すなわち、請求項１記載の発明によれば、ブラシ本体としてのヘッド部と、ヘッド部が固定されている柄部と、ヘッド部と柄部を繋ぐ位置にあるネック部と、ネック部と柄部との接続部及び柄部の後端部において柄部の長手方向の中心軸を回転中心として回転自在に係止されかつ前記柄部との間に人の手指の第２指ないし第５指を挿入する空間部を構成するベルト部とを有したことを特徴とする歯磨きに於ける口腔内外傷発生防止用歯ブラシを得られる。
【０００８】
請求項２に記載の発明によれば、ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第２指を挿入する指掛け部とを有したことを特徴とする歯磨きに於ける口腔内外傷発生防止用歯ブラシを得られる。
【０００９】
請求項３に記載の発明によれば、ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第２指及び第３指をそれぞれ挿入する指掛け部とを有したことを特徴とする歯磨きに於ける口腔内外傷発生防止用歯ブラシを得られる。
【００１０】
請求項４に記載の発明によれば、ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第２指及び第３指を同時に挿入する指掛け部とを有したことを特徴とする歯磨きに於ける口腔内外傷発生防止用歯ブラシを得られる。
【００１１】
請求項５に記載の発明によれば、ブラシ本体としてのヘッド部と、ヘッド部が固定されている柄部と、ヘッド部と柄部を繋ぐ位置にあるネック部と、ネック部と柄部との接続部において柄部の長手方向の中心軸を回転中心として回転自在に係止されかつ人の手指の第１指を挿入する指掛け部とを有したことを特徴とする歯磨きに於ける口腔内外傷発生防止用歯ブラシを得られる。
【００１２】
請求項６に記載の発明によれば、前記ベルト部または前記指掛け部は抗菌性シリコーン樹脂で作製したことを特徴とする請求項１ないし５記載の歯磨きに於ける口腔内外傷発生防止用歯ブラシを得られる。
【発明の効果】
【００１３】
請求項１に記載の発明によれば、乳幼児、あるいは障がい者又は障がい児、もしくは要介護支援者が歯磨きに於ける口腔内外傷発生防止用歯ブラシ歯を把持したまま転倒した際に、反射的に床に手を突く動作とともに柄部とベルト部で手に固定された口腔内外傷発生防止用歯ブラシは口蓋部から瞬間的に抜去され、たとえ顔面を床に強打しても口腔内外傷発生防止用歯ブラシが口蓋部の奥部や咽喉部を損傷することがないという効果がある。また、運動機能が充分に発達しておらず、転倒時に床に手を突く反射的な動作が行なえない乳幼児、あるいは障がい者又は障がい児、もしくは要介護支援者が当該口腔内外傷発生防止用歯ブラシを使用した場合、口腔内外傷発生防止用歯ブラシは柄部とベルト部で手に強固に固定されているので、転倒時に於いてネック部の接続部、ベルトの接続部の近傍及び第１指が乳幼児、あるいは障がい者又は障がい児、もしくは要介護支援者の口蓋周囲に衝当することにより、口腔内外傷発生防止用歯ブラシが乳幼児の口蓋部の奥部や咽喉部に突入することがなく、口蓋部の奥部や咽喉部を損傷することがないという効果がある。また、歯磨きに於けるブラッシング動作に於いて、前記ベルト部は前記乳幼児、あるいは障がい者又は障がい児、もしくは要介護支援者の口腔周囲及び頬部や鼻翼部に接触ないしは衝当することがないので不快感を生じさせることがなく、乳幼児、あるいは障がい者又は障がい児、もしくは要介護支援者が快適にブラッシング動作を行なうことができ、自発的に歯磨きを行う習慣をつけることができるという効果がある。また、乳幼児の保護者が乳幼児に代わって該乳幼児の歯磨き動作を行う場合に於いては、保護者が乳幼児の口腔内を観察することが容易であり、充分な口腔ケアができるという効果がある。これは障がい者又は障がい児、もしくは要介護支援者と介護支援者においても同様である。さらに、歯磨きに於ける口腔内外傷発生防止用歯ブラシを収納する際は、前記ベルト部を柄部の周りに回転させることができるのでベルト部をブラシ側に回転させてコンパクトな形状にすることができ、該歯磨きに於ける口腔内外傷発生防止用歯ブラシを既存の洗面台等に具備する歯ブラシ収納部に収納することができて、衛生管理を充分に行えるという効果がある。
【００１４】
請求項２に記載の発明によれば、請求項１に記載の発明の効果に加えて第３指ないし第５指は指掛け部の手指挿入環で拘束されていないので自由に動くことができて、運動機能がある程度発達した幼児において、もしくはある程度運動機能に制限を有する障がい者、障がい児、もしくは運動機能に制限を有する要介護支援者において、違和感がなく歯磨き動作をすることができるという効果がある。
【００１５】
請求項３に記載の発明によれば、請求項１に記載の発明の効果に加えて第２指及び第３指を指掛け部で固定し第４指及び第５指は指掛け部の手指挿入環で拘束されていないので自由に動くことができるので、微妙な歯磨き動作を行なうことができるという効果がある。
【００１６】
請求項４に記載の発明によれば、請求項１及び請求項３に記載の発明の効果に加えて指掛け部の手指挿入環の形状が簡単なので第２指及び第３指を指掛け部に挿入し易いという効果がある。
【００１７】
請求項５に記載の発明によれば、請求項１に記載の発明の効果に加えて第１指を指掛け部の手指挿入環に挿入して固定しているので歯磨きに於ける口腔内外傷発生防止用歯ブラシを把持した際にその把持姿勢を変更し易く、口腔内の各部位に於ける歯磨き動作が容易に行なえるという効果がある。
【００１８】
請求項６に記載の発明によれば、ベルト部又は指掛け部は抗菌性シリコーン樹脂で作製するので、ベルト部又は指掛け部に於けるリングと柄部の表面との間の嵌合面に滞留した水分、歯磨き剤及び口腔からの唾液等が腐敗することがなく、長期間に亘って歯磨きに於ける口腔内外傷発生防止用歯ブラシを使用しても、不衛生な状態になることがないという効果がある。
【図面の簡単な説明】
【００１９】
【図１】本発明に係る歯磨きに於ける口腔内外傷発生防止用歯ブラシの実施の形態を示す斜視図である。
【図２】図１に於いて矢視Ａ−Ａ線方向で断面した拡大垂直断面図である。
【図３】本発明に係る歯磨きに於ける口腔内外傷発生防止用歯ブラシの第１の実施例を示す斜視図である。
【図４】本発明に係る歯磨きに於ける口腔内外傷発生防止用歯ブラシの第２の実施例を示す斜視図である。
【図５】本発明に係る歯磨きに於ける口腔内外傷発生防止用歯ブラシの第３の実施例を示す斜視図である。
【図６】本発明に係る歯磨きに於ける口腔内外傷発生防止用歯ブラシの第４の実施例を示す斜視図である。
【図７】従来技術に於ける乳幼児用歯ブラシの第１の例を示す斜視図である。
【図８】従来技術に於ける乳幼児用歯ブラシの第２の例を示す斜視図である。
【発明を実施するための形態】
【００２０】
本発明に係る歯磨きに於ける口腔内外傷発生防止用歯ブラシの実施の形態について図１及び図２に基づき詳細に説明する。
先ず、一般的な歯ブラシにおける把持の方法・形態について説明する。
歯磨き動作に於いて、歯ブラシの把持の方法は大別して、ペングリップとパームグリップの２種類に分類することができる。ペングリップとは鉛筆や歯ブラシ等の被把持体を第１指すなわち親指と第２指すなわち人差し指で軽く挟んで把持する方法であり、把持した被把持体の姿勢及び動作方向を微妙に制御することが可能な把持方法である。歯磨き動作に於いても口腔内を細かくブラッシングが可能なペングリップで歯ブラシを把持ことが一般に推奨されている。一方、パームグリップとは、第２指すなわち人差し指、第３指すなわち中指、第４指すなわち薬指及び第５指すなわち小指の４本の指の全てと手掌で被把持体を把持する方法である。パームグリップは運動機能が発達途上の乳幼児又は手指に運動機能障害を有する人に於いて容易な把持方法であり、１歳から２歳の幼児においては手指の運動機能が未発達であり歯ブラシの把持方法はパームグリップとならざるを得ない。また、運動機能に制限を有する障がい者又は障がい児、もしくは要介護支援者においても同様である。本発明に係る歯磨きに於ける口腔内外傷発生防止用歯ブラシは、乳幼児、あるいは障がい者又は障がい児、もしくは要介護支援者が前記パームグリップによって歯ブラシを把持した際に、安全に歯磨き動作を行なうための歯ブラシである。
【００２１】
図１に示すように本発明に係る歯磨きに於ける口腔内外傷発生防止用歯ブラシ１１は、ブラシ本体としてのヘッド部１２と、ヘッド部１２が固定されている柄部１３と、ヘッド部１２と柄部１３を繋ぐ位置にあるネック部１４と、ネック部１４と柄部１３との接続部１４ａ及び柄部１３の後端部１３ａにおいて柄部１３の長手方向の中心軸１３ｄを回転中心として回転自在に係止されたベルト部１５を有している。
【００２２】
柄部１３は直状の棒状体であって、略円形でなる断面形状は長手方向に対して連続的に直径が繰返して変化する表面１３ｂを有する。そしてこの多段のいわゆる瓢箪形状は乳幼児が手１６の第２指すなわち人差し指１６ｂ、第３指すなわち中指１６ｃ、第４指すなわち薬指１６ｄ、第５指すなわち小指１６ｅで柄部１３を把持した際に把持姿勢を安定させると共に握ったときの感触を向上させる。また、握ったときの感触をさらに向上させるために、柔軟性を有する合成樹脂材料、例えばシリコーン樹脂やポリウレタン樹脂等でなる表層部１３ｃが柄部１３の表面１３ｂをコーティング又は被覆している。
【００２３】
柄部１３の前記表面１３ｂの基礎をなす基材部１３ｅはヘッド部１２及びネック部１４と共に比較的硬質な合成樹脂材料で一体成形する。その合成樹脂材用は例えばＡＢＳ（アクリロニトリル・ブタジエン・スチレン樹脂）、ＡＳ（アクリロニトリル・スチレン樹脂）、ポリプロピレン、ポリエチレンテレフタレート、ポリスチレン、ポリアセタール、ポリカーボネート、ポリエーテルスルフォン、ポリアミド、アクリル樹脂である。
【００２４】
１５はベルト部であって、該ベルト部１５は、ネック部１４と柄部１３との接続部１４ａ及び柄部１３の後端部１３ａにおいて柄部１３の長手方向の中心軸１３ｄを回転中心として回転自在に係止されたリング１５ａ、１５ｂと該リング１５ａ、１５ｂと一体成形した手指保持部１５ｃを有している。該ベルト部１５はシリコーン樹脂やポリウレタン樹脂、衝撃吸収性ゲル組成物等の柔軟性及び伸縮性を有する材質で作製する。
【００２５】
接続部１４ａ及び後端部１３ａに於けるリング１５ａ、１５ｂの係止部は、柄部１３の他の部分に比して径小かつ幅長Ｂを有する２つの溝部（図示せず）をそれぞれ構成しており、リング１５ａ、１５ｂの伸縮性を利用して該２つの溝部にリング１５ａ、１５ｂを図２に示すように締まり嵌め状態に固定している。従って、自然状態に於いてベルト部１５は柄部１３の周囲を中心軸１３ｄを中心に回転することはない。外力すなわち人力を印加することでベルト部１５を柄部１３の周りに任意の角度だけ回転させかつ固定することが可能である。
【００２６】
１２はヘッド部であって、柄部１３及びネック部１４と一体成形したヘッド部１２は楕円形又は長円形の底面を有する筒状体であり、ヘッド部１２の一方底面のほぼ全域にブラシ１２ａが該底面に直角に形成してある。
尚、柄部１３の溝部に締まり嵌め状態で固定しているベルト部１５のリング１５ａ、１５ｂと前記溝部との嵌合面及びその周囲は、歯磨きによる水分や歯磨き剤が残留しやすく乾燥しにくいので、歯磨き動作後に細菌が容易に繁殖し、清潔を保持することが困難である。
従ってベルト部１５の材料は前記したシリコーン樹脂やポリウレタン樹脂、衝撃吸収性ゲル組成物のほか、抗菌性シリコーン樹脂で作製してもよい。
【００２７】
次に本発明に係る歯磨きに於ける口腔内外傷発生防止用歯ブラシの実施の形態に於いて、口腔内外傷発生防止用歯ブラシ１１の使用方法等を説明する。
図１に示すように乳幼児、あるいは障がい者又は障がい児、もしくは要介護支援者の手１６の５本の指の内、第２指１６ｂがネック部１４側にかつ第５指１６ｅが柄部の後端部１３ａ側に来るようにして、第２指１６ｂないし第５指１６ｅを柄部１３とベルト部１５で構成する空間部１５Ａに差込んで、柄部１３の柄部の表面１３ｂを把持する。そして、歯磨き動作を行うために口腔内外傷発生防止用歯ブラシ１１を把持した乳幼児、あるいは障がい者又は障がい児、もしくは要介護支援者の手１６を乳幼児、あるいは障がい者又は障がい児、もしくは要介護支援者の口蓋部（図示せず）に接近させ、口腔内外傷発生防止用歯ブラシ１１を把持した乳幼児、あるいは障がい者又は障がい児、もしくは要介護支援者の手１６が無理のない自然な姿勢となる座標すなわち位置及び姿勢を確認する。
【００２８】
次に当該座標に於いてヘッド部１２のブラシ１２ａが乳幼児、あるいは障がい者又は障がい児、もしくは要介護支援者の口蓋部に正対するように、乳幼児、あるいは障がい者又は障がい児、もしくは要介護支援者が柄部１３を握った第２指１６ｂないし第５指１６ｅを少し緩めて、図１に示す柄部１３の中心軸１３ｄを回転中心としてヘッド部１２を回転させる。このときベルト部１５で挟まれた第２指１６ｂないし第５指１６ｅの座標を変化させずに前記座標を維持したままで、図２に示す柄部の表面１３ｂとベルト部１５の２個のリング１５ａ及び１５ｂの嵌着面に於いてヘッド部１２及び柄部１３を必要量だけ回転させる。このようにして口腔内外傷発生防止用歯ブラシ１１を把持した乳幼児、あるいは障がい者又は障がい児、もしくは要介護支援者の手１６は歯磨き動作に最適なヘッド部１２の座標を確定することができる。
尚、前記のヘッド部１２の回転動作及び座標確定動作は一般的に乳幼児の保護者もしくは介護支援者が行う作業である。
【００２９】
乳幼児、あるいは障がい者又は障がい児、もしくは要介護支援者が当該口腔内外傷発生防止用歯ブラシ１１を把持して歯磨き動作中に歩行して転倒事故をおこしたとき、ある程度運動機能が発達した幼児、あるいはある程度運動機能に制限を有する障がい者又は障がい児、もしくは要介護支援者であれば転倒動作中に反射的に両手を床について顔面を直接床に強打することを防止することができる。このとき、反射的に床に手１６を突く動作とともに柄部１３とベルト部１５で手１６に固定された口腔内外傷発生防止用歯ブラシ１１は口蓋部から瞬間的に抜去され、たとえ顔面を床に強打しても口腔内外傷発生防止用歯ブラシ１１が口蓋部の奥部や咽喉部を損傷することがない。
【００３０】
また、運動機能が充分に発達しておらず、転倒時に床に手１６を突く反射的な動作が行なえない乳幼児、あるいは運動機能に制限を有する障がい者又は障がい児、もしくは運動機能に制限を有する要介護支援者が当該口腔内外傷発生防止用歯ブラシ１１を使用した場合、転倒時に口腔内外傷発生防止用歯ブラシ１１は口蓋部から抜去されることがなく、柄部１３とベルト部１５で手１６に固定された口腔内外傷発生防止用歯ブラシ１１は柄部１３の後端部１３ａが床に衝当する。ところが口腔内外傷発生防止用歯ブラシ１１は柄部１３とベルト部１５で手１６に強固に固定されているので、ネック部１４の接続部１４ａ、ベルト１５の接続部１４ａの近傍及び第１指１６ａが乳幼児、あるいは障がい者又は障がい児、もしくは要介護支援者の口蓋周囲に衝当することにより、口腔内外傷発生防止用歯ブラシ１１が乳幼児、あるいは障がい者又は障がい児、もしくは要介護支援者の口蓋部の奥部や咽喉部に突入することがなく、口蓋部の奥部や咽喉部を損傷することがない。
【実施例１】
【００３１】
次に本発明に係る歯磨きに於ける口腔内外傷発生防止用歯ブラシの実施例１について図３に基づき説明する。
本実施例１は上述した発明を実施するための形態に於けるベルト部１５の第１の変形例であって、１７は本発明に係る歯磨きに於ける口腔内外傷発生防止用歯ブラシである。１８は乳幼児が第２指１６ｂを差込んで歯磨きに於ける口腔内外傷発生防止用歯ブラシ１７の把持を安定なものにするための指掛け部である。該指掛け部１８は、ネック部１４と柄部１３との接続部１４ａにおいて柄部１３の長手方向の中心軸１３ｄを回転中心として回転自在に係止されたリング１８ａ及び該リング１８ａと一体成形した手指挿入環１８ｂを有している。該指掛部１８はシリコーン樹脂やポリウレタン樹脂、衝撃吸収性ゲル組成物等の柔軟性及び伸縮性を有する材質で作製する。
【００３２】
接続部１４ａに於けるリング１８ａの係止部は、柄部１３の他の部分に比して径小かつ幅長Ｃを有する溝部（図示せず）を構成しており、リング１８ａの伸縮性を利用して該溝部にリング１８ａを締まり嵌め状態に固定している。従って、自然状態に於いて指掛け部１８は柄部１３の周囲を中心軸１３ｄを中心に回転することはない。外力すなわち人力を印加することで指掛け部１８を柄部１３の周りに任意の角度だけ回転させかつ固定することが可能である。
歯磨きに於ける口腔内外傷発生防止用歯ブラシ１７の実施例１に於けるほかの構成や機能及び歯磨きに於ける口腔内外傷発生防止用歯ブラシ１７の材料や製作方法は図１及び図２に示すものと同一であり、その説明を省略する。
【００３３】
次に本発明に係る歯磨きに於ける口腔内外傷発生防止用歯ブラシの実施例１に於いて、口腔内外傷発生防止用歯ブラシ１７の使用方法等を説明する。
図３に示すように乳幼児、あるいは障がい者又は障がい児、もしくは要介護支援者の手１６の５本の指の内、第２指１６ｂを指掛け部１８の手指挿入環１８ｂに挿入し、第３指１６ｃないし第５指１６ｅと共に柄部１３の柄部の表面１３ｂを把持する。そして、歯磨き動作を行うために口腔内外傷発生防止用歯ブラシ１７を把持した乳幼児、あるいは障がい者又は障がい児、もしくは要介護支援者の手１６を乳幼児、あるいは障がい者又は障がい児、もしくは要介護支援者の口蓋部（図示せず）に接近させ、口腔内外傷発生防止用歯ブラシ１７を把持した乳幼児、あるいは障がい者又は障がい児、もしくは要介護支援者の手１６が無理のない自然な姿勢となる座標すなわち位置及び姿勢を確認する。
【００３４】
次に当該座標に於いてヘッド部１２のブラシ１２ａが乳幼児、あるいは障がい者又は障がい児、もしくは要介護支援者の口蓋部に正対するように、乳幼児、あるいは障がい者又は障がい児、もしくは要介護支援者が柄部１３を握った第２指１６ｂないし第５指１６ｅを少し緩めて、図１に示す柄部１３の中心軸１３ｄを回転中心としてヘッド部１２を回転させる。このとき柄部１３を握った第２指１６ｂないし第５指１６ｅの座標を変化させずに前記座標を維持したままで、図２に示す柄部の表面１３ｂと指掛け部１８のリング１８ａの嵌着面に於いてヘッド部１２及び柄部１３を必要量だけ回転させる。このようにして口腔内外傷発生防止用歯ブラシ１７を把持した乳幼児、あるいは障がい者又は障がい児、もしくは要介護支援者の手１６は歯磨き動作に最適なヘッド部１２の座標を確定することができる。
尚、前記のヘッド部１２の回転動作及び座標確定動作は一般的に乳幼児の保護者もしくは介護支援者が行う作業である。
【００３５】
ある程度運動機能が発達した幼児及びある程度運動機能に制限を有する障がい者又は障がい児、もしくは運動機能に制限を有する要介護支援者が当該口腔内外傷発生防止用歯ブラシ１７を把持して歯磨き動作中に歩行して転倒事故をおこしたとき、反射的に床に手１６を突く動作とともに柄部１３と指掛け部１８で手１６に固定された口腔内外傷発生防止用歯ブラシ１７は口蓋部から瞬間的に抜去され、たとえ顔面を床に強打しても口腔内外傷発生防止用歯ブラシ１７が口蓋部の奥部や咽喉部を損傷することがない。
【００３６】
また、運動機能が充分に発達しておらず、転倒時に床に手１６を突く反射的な動作が行なえない乳幼児、あるいは障がい者又は障がい児、もしくは運動機能に制限を有する要介護支援者が当該口腔内外傷発生防止用歯ブラシ１７を使用した場合、転倒時に口腔内外傷発生防止用歯ブラシ１７は口蓋部から抜去されることがなく、柄部１３と指掛け部１８で手１６に固定された口腔内外傷発生防止用歯ブラシ１７は柄部１３の後端部１３ａが床に衝当する。ところが口腔内外傷発生防止用歯ブラシ１７は柄部１３と指掛け部１８で手１６に強固に固定されているので、指掛け部１８に挿入した第２指１６ｂ及びネック部１４を握った第１指１６ａが乳幼児、あるいは障がい者又は障がい児、もしくは要介護支援者の口蓋周囲に衝当することにより、口腔内外傷発生防止用歯ブラシ１７が乳幼児、あるいは障がい者又は障がい児、もしくは要介護支援者の口蓋部の奥部や咽喉部に突入することがなく、口蓋部の奥部や咽喉部を損傷することがない。
【実施例２】
【００３７】
次に本発明に係る歯磨きに於ける口腔内外傷発生防止用歯ブラシの実施例２について図４に基づき説明する。
本実施例２は上述した発明を実施するための形態に於けるベルト部１５の第２の変形例であって、１９は本発明に係る歯磨きに於ける口腔内外傷発生防止用歯ブラシである。２０は乳幼児、あるいは障がい者又は障がい児、もしくは要介護支援者が第２指１６ｂ及び第３指１６ｃを差込んで歯磨きに於ける口腔内外傷発生防止用歯ブラシ１９の把持を安定なものにするための指掛け部である。該指掛け部２０は、ネック部１４と柄部１３との接続部１４ａの近傍において柄部１３の長手方向の中心軸１３ｄを回転中心として回転自在に係止されたリング２０ａ、２０ｂ及び該リング２０ａ、２０ｂと一体成形した手指挿入環２０ｃ、２０ｄを有している。該手指挿入環２０ｃ、２０ｄはそれぞれ概ね環状をなしており、それぞれの環状の外周の一部に於いてリング２０ａ、２０ｂの外周の一部と接続して一体化している。該指掛部２０はシリコーン樹脂やポリウレタン樹脂、衝撃吸収性ゲル組成物等の柔軟性及び伸縮性を有する材質で作製する。
【００３８】
接続部１４ａに於けるリング２０ａ、２０ｂの係止部は、柄部１３の他の部分に比して径小かつ幅長Ｄを有する溝部（図示せず）を構成しており、リング２０ａ、２０ｂの伸縮性を利用して該溝部にリング２０ａ、２０ｂを締まり嵌め状態に固定している。従って、自然状態に於いて指掛け部２０は柄部１３の周囲を中心軸１３ｄを中心に回転することはない。外力すなわち人力を印加することで指掛け部２０を柄部１３の周りに任意の角度だけ回転させかつ固定することが可能である。
歯磨きに於ける口腔内外傷発生防止用歯ブラシ１９の実施例２に於けるほかの構成や機能及び歯磨きに於ける口腔内外傷発生防止用歯ブラシ１９の材料や製作方法は図１及び図２に示すものと同一であり、その説明を省略する。
【００３９】
次に本発明に係る歯磨きに於ける口腔内外傷発生防止用歯ブラシの実施例２に於いて、口腔内外傷発生防止用歯ブラシ１９の使用方法等を説明する。
図４に示すように乳幼児、あるいは障がい者又は障がい児、もしくは要介護支援者の手１６の５本の指の内、第２指１６ｂ及び第３指１６ｃをそれぞれ指掛け部２０の手指挿入環２０ｃ、２０ｄに挿入し、第４指１６ｄ及び第５指１６ｅと共に柄部１３の柄部の表面１３ｂを把持する。
【００４０】
口腔内外傷発生防止用歯ブラシ１９のヘッド部１２を回転させて口腔内外傷発生防止用歯歯磨き動作に最適なヘッド部１２の座標を確定する回転動作及び座標確定動作は前記実施例１と概ね同一であり、その説明を省略する。
【００４１】
ある程度運動機能が発達した幼児及びある程度運動機能に制限を有する障がい者又は障がい児、もしくは運動機能に制限を有する要介護支援者が当該口腔内外傷発生防止用歯ブラシ１９を把持して歯磨き動作中に歩行して転倒事故をおこしたとき、反射的に床に手１６を突く動作とともに柄部１３と指掛け部２０で手１６に固定された口腔内外傷発生防止用歯ブラシ１９は口蓋部から瞬間的に抜去され、たとえ顔面を床に強打しても口腔内外傷発生防止用歯ブラシ１９が口蓋部の奥部や咽喉部を損傷することがない。
【００４２】
また、運動機能が充分に発達しておらず、転倒時に床に手１６を突く反射的な動作が行なえない乳幼児、あるいは障がい者又は障がい児、もしくは運動機能に制限を有する要介護支援者が当該口腔内外傷発生防止用歯ブラシ１９を使用した場合、転倒時に口腔内外傷発生防止用歯ブラシ１９は口蓋部から抜去されることがなく、柄部１３と指掛け部２０で手１６に固定された口腔内外傷発生防止用歯ブラシ１９は柄部１３の後端部１３ａが床に衝当する。ところが口腔内外傷発生防止用歯ブラシ１９は柄部１３と指掛け部２０で手１６に強固に固定されているので、指掛け部２０に挿入した第２指１６ｂ、第３指１６ｃ及びネック部１４を握った第１指１６ａが乳幼児、あるいは障がい者又は障がい児、もしくは要介護支援者の口蓋周囲に衝当することにより、口腔内外傷発生防止用歯ブラシ１９が乳幼児、あるいは障がい者又は障がい児、もしくは要介護支援者の口蓋部の奥部や咽喉部に突入することがなく、口蓋部の奥部や咽喉部を損傷することがない。
【実施例３】
【００４３】
次に本発明に係る歯磨きに於ける口腔内外傷発生防止用歯ブラシの実施例３について図５に基づき説明する。
本実施例３は上述した発明を実施するための形態に於けるベルト部１５の第３の変形例であって、２１は本発明に係る歯磨きに於ける口腔内外傷発生防止用歯ブラシである。
２２は乳幼児が第２指１６ｂ及び第３指１６ｃを差込んで歯磨きに於ける口腔内外傷発生防止用歯ブラシ２１の把持を安定なものにするための指掛け部である。該指掛け部２２は、ネック部１４と柄部１３との接続部１４ａの近傍において柄部１３の長手方向の中心軸１３ｄを回転中心として回転自在に係止されたリング２２ａ及び該リング２２ａと一体成形した手指挿入環２２ｂを有している。手指挿入環２２ｂは概ね楕円形又は長円形の環状をなしており、手指挿入環２２ｂの外周の一部に於いてリング２２ａの外周の一部と接続して一体化している。該指掛部２２はシリコーン樹脂やポリウレタン樹脂、衝撃吸収性ゲル組成物等の柔軟性及び伸縮性を有する材質で作製する。
【００４４】
接続部１４ａに於けるリング２２ａの係止部は、柄部１３の他の部分に比して径小かつ幅長Ｅを有する溝部（図示せず）を構成しており、リング２２ａの伸縮性を利用して該溝部にリング２２ａを締まり嵌め状態に固定している。従って、自然状態に於いて指掛け部２２は柄部１３の周囲を中心軸１３ｄを中心に回転することはない。外力すなわち人力を印加することで指掛け部２２を柄部１３の周りに任意の角度だけ回転させかつ固定することが可能である。
歯磨きに於ける口腔内外傷発生防止用歯ブラシ２１の実施例３に於けるほかの構成や機能及び歯磨きに於ける口腔内外傷発生防止用歯ブラシ２１の材料や製作方法は図１及び図２に示すものと同一であり、その説明を省略する。
【００４５】
次に本発明に係る歯磨きに於ける口腔内外傷発生防止用歯ブラシの実施例３に於いて、口腔内外傷発生防止用歯ブラシ２１の使用方法等を説明する。
図５に示すように乳幼児、あるいは障がい者又は障がい児、もしくは要介護支援者の手１６の５本の指の内、第２指１６ｂ及び第３指１６ｃを同時に指掛け部２２の手指挿入環２２ｂに挿入し、第４指１６ｄ及び第５指１６ｅと共に柄部１３の柄部の表面１３ｂを把持する。
【００４６】
口腔内外傷発生防止用歯ブラシ２１のヘッド部１２を回転させて口腔内外傷発生防止用歯歯磨き動作に最適なヘッド部１２の座標を確定する回転動作及び座標確定動作は前記実施例１と概ね同一であり、その説明を省略する。
【００４７】
ある程度運動機能が発達した幼児及びある程度運動機能に制限を有する障がい者又は障がい児、もしくは運動機能に制限を有する要介護支援者が当該口腔内外傷発生防止用歯ブラシ２１を把持して歯磨き動作中に歩行して転倒事故をおこしたとき、反射的に床に手１６を突く動作とともに柄部１３と指掛け部２２で手１６に固定された口腔内外傷発生防止用歯ブラシ２１は口蓋部から瞬間的に抜去され、たとえ顔面を床に強打しても口腔内外傷発生防止用歯ブラシ２１が口蓋部の奥部や咽喉部を損傷することがない。
【００４８】
また、運動機能が充分に発達しておらず、転倒時に床に手１６を突く反射的な動作が行なえない乳幼児、あるいは障がい者又は障がい児、もしくは運動機能に制限を有する要介護支援者が当該口腔内外傷発生防止用歯ブラシ２１を使用した場合、転倒時に口腔内外傷発生防止用歯ブラシ２１は口蓋部から抜去されることがなく、柄部１３と指掛け部２２で手１６に固定された口腔内外傷発生防止用歯ブラシ２１は柄部１３の後端部１３ａが床に衝当する。ところが口腔内外傷発生防止用歯ブラシ２１は柄部１３と指掛け部２２で手１６に強固に固定されているので、指掛け部２２に挿入した第２指１６ｂ、第３指１６ｃ及びネック部１４を握った第１指１６ａが乳幼児、あるいは障がい者又は障がい児、もしくは要介護支援者の口蓋周囲に衝当することにより、口腔内外傷発生防止用歯ブラシ２１が乳幼児、あるいは障がい者又は障がい児、もしくは要介護支援者の口蓋部の奥部や咽喉部に突入することがなく、口蓋部の奥部や咽喉部を損傷することがない。
【実施例４】
【００４９】
次に本発明に係る歯磨きに於ける口腔内外傷発生防止用歯ブラシの実施例４について図６に基づき説明する。
本実施例４は上述した発明を実施するための形態に於けるベルト部１５の第４の変形例であって、２３は本発明に係る歯磨きに於ける口腔内外傷発生防止用歯ブラシである。
２４は乳幼児、あるいは障がい者又は障がい児、もしくは要介護支援者が第１指１６ａを差込んで歯磨きに於ける口腔内外傷発生防止用歯ブラシ２３の把持を安定なものにするための指掛け部である。該指掛け部２４は、ネック部１４と柄部１３との接続部１４ａの近傍において柄部１３の長手方向の中心軸１３ｄを回転中心として回転自在に係止されたリング２４ａ及び該リング２４ａと一体成形した手指挿入環２４ｂを有している。手指挿入環２４ｂは略円環状をなしており、手指挿入環２４ｂの外周の一部に於いてリング２４ａの外周の一部と接続して一体化している。該指掛部２４はシリコーン樹脂やポリウレタン樹脂、衝撃吸収性ゲル組成物等の柔軟性及び伸縮性を有する材質で作製する。
【００５０】
接続部１４ａに於けるリング２４ａの係止部は、柄部１３の他の部分に比して径小かつ幅長Ｆを有する溝部（図示せず）を構成しており、リング２４ａの伸縮性を利用して該溝部にリング２４ａを締まり嵌め状態に固定している。従って、自然状態に於いて指掛け部２４は柄部１３の周囲を中心軸１３ｄを中心に回転することはない。外力すなわち人力を印加することで指掛け部２４を柄部１３の周りに任意の角度だけ回転させかつ固定することが可能である。
歯磨きに於ける口腔内外傷発生防止用歯ブラシ２３の実施例４に於けるほかの構成や機能及び歯磨きに於ける口腔内外傷発生防止用歯ブラシ２１の材料や製作方法は図１及び図２に示すものと同一であり、その説明を省略する。
【００５１】
次に本発明に係る歯磨きに於ける口腔内外傷発生防止用歯ブラシの実施例４に於いて、口腔内外傷発生防止用歯ブラシ２３の使用方法等を説明する。
図６に示すように乳幼児、あるいは障がい者又は障がい児、もしくは要介護支援者の手１６の第１指１６ａを指掛け部２４の手指挿入環２４ｂに挿入し、第２指１６ｂないし第５指１６ｅは柄部１３の柄部の表面１３ｂを把持する。
【００５２】
口腔内外傷発生防止用歯ブラシ２１のヘッド部１２を回転させて歯磨き動作に最適なヘッド部１２の座標を確定する回転動作及び座標確定動作は前記実施例１と概ね同一であり、その説明を省略する。
【００５３】
ある程度運動機能が発達した幼児及びある程度運動機能に制限を有する障がい者又は障がい児、もしくは運動機能に制限を有する要介護支援者が当該口腔内外傷発生防止用歯ブラシ２３を把持して歯磨き動作中に歩行して転倒事故をおこしたとき、反射的に床に手１６を突く動作とともに指掛け部２４で手１６に固定された口腔内外傷発生防止用歯ブラシ２３は口蓋部から瞬間的に抜去され、たとえ顔面を床に強打しても口腔内外傷発生防止用歯ブラシ２３が口蓋部の奥部や咽喉部を損傷することがない。
【００５４】
また、運動機能が充分に発達しておらず、転倒時に床に手１６を突く反射的な動作が行なえない乳幼児、あるいは障がい者又は障がい児、もしくは運動機能に制限を有する要介護支援者が当該口腔内外傷発生防止用歯ブラシ２３を使用した場合、転倒時に口腔内外傷発生防止用歯ブラシ２３は口蓋部から抜去されることがなく、指掛け部２２で手１６に固定された口腔内外傷発生防止用歯ブラシ２３は柄部１３の後端部１３ａが床に衝当する。ところが口腔内外傷発生防止用歯ブラシ２３は指掛け部２２で手１６に強固に固定されているので、指掛け部２２に挿入した第１指１６ａの先端１６ｆが口蓋部に侵入するが、第１指１６ａの根元１６ｇ及び柄部１３を把持した第２指１６ｂないし第５指１６ｅが乳幼児、あるいは障がい者又は障がい児、もしくは要介護支援者の口蓋周囲に衝当することにより、口腔内外傷発生防止用歯ブラシ２３が乳幼児の口蓋部の奥部や咽喉部に突入することがなく、口蓋部の奥部や咽喉部を損傷することがない。
【産業上の利用可能性】
【００５５】
本発明は、乳幼児、あるいは障がい者又は障がい児、もしくは要介護支援者が使用する歯ブラシのほか、乳幼児、あるいは障がい者又は障がい児、もしくは要介護支援者が使用するスプーンやフォークなどの食器類の技術分野への適用が可能である。
【符号の説明】
【００５６】
１１        口腔内外傷発生防止用歯ブラシ
１２        ヘッド部
１２ａ      ブラシ
１３        柄部
１３ａ      柄部の後端部
１３ｂ      柄部の表面
１３ｃ      柄部の表層部
１３ｄ      中心軸
１３ｅ      基材部
１４        ネック部
１４ａ      接続部
１５        ベルト部
１５Ａ      ベルト部の空間部
１５ａ      リング
１５ｂ      リング
１５ｃ      手指保持部
１６        乳幼児、あるいは障がい者又は障がい児、もしくは要介護支援者の手
１６ａ      乳幼児、あるいは障がい者又は障がい児、もしくは要介護支援者の手の第１指（親指）
１６ｂ      乳幼児、あるいは障がい者又は障がい児、もしくは要介護支援者の手の第２指（人差し指）    
１６ｃ      乳幼児、あるいは障がい者又は障がい児、もしくは要介護支援者の手の第３指（中指）
１６ｄ      乳幼児、あるいは障がい者又は障がい児、もしくは要介護支援者の手の第４指（薬指）
１６ｅ      乳幼児、あるいは障がい者又は障がい児、もしくは要介護支援者の手の第５指（小指）
１６ｆ      乳幼児、あるいは障がい者又は障がい児、もしくは要介護支援者の手の第１指の先端
１６ｇ      乳幼児、あるいは障がい者又は障がい児、もしくは要介護支援者の手の第１指の根元
１７        歯磨きに於ける口腔内外傷発生防止用歯ブラシ    
１８        指掛け部
１８ａ      リング
１８ｂ      手指挿入環  
１９        歯磨きに於ける口腔内外傷発生防止用歯ブラシ    
２０        指掛け部
２０ａ      リング
２０ｂ      リング
２０ｃ      手指挿入環  
２０ｄ      手指挿入環  
２１        歯磨きに於ける口腔内外傷発生防止用歯ブラシ
２２        指掛け部
２２ａ      リング
２２ｂ      手指挿入環
２３        口腔内外傷発生防止用歯ブラシ
２４        指掛け部
２４ａ      リング
２４ｂ      手指挿入環
【要約】      （修正有）【課題】乳幼児用、あるいは障がい者又は障がい児、もしくは要介護支援者の歯ブラシであって、手もしくは指を覆うリングを付加して歯ブラシによる咽頭部への誤刺入を防止する機能を有する歯磨きに於ける口腔内外傷発生防止用歯ブラシを提供する。【解決手段】ヘッド部１２と、ヘッド部１２が固定されている柄部１３と、ヘッド部１２と柄部１３を繋ぐ位置にあるネック部１４と、ネック部１４と柄部１３との接続部１４ａ及び柄部１３の後端部１３ａにおいて柄部１３の長手方向の中心軸１３ｄを回転中心として回転自在に係止されたベルト部１５を有している。該ベルト部１５は、ネック部１４と柄部１３との接続部１４ａ及び柄部１３の後端部１３ａにおいて柄部１３の長手方向の中心軸１３ｄを回転中心として回転自在に係止されたリング１５ａ、１５ｂと該リング１５ａ、１５ｂと一体成形した手指保持部１５ｃを有している。【選択図】図１【図１】
0004732545.tif 000002
【図２】
0004732545.tif 000003
【図３】
0004732545.tif 000004
【図４】
0004732545.tif 000005
【図５】
0004732545.tif 000006
【図６】
0004732545.tif 000007
【図７】
0004732545.tif 000008
【図８】
0004732545.tif 000009